(57)【特許請求の範囲】
【請求項１】
上方に開放された開口部を有する収納凹部と、この収納凹部の内周に形成された係止段部と、この係止段部に係止されて前記開口部を開閉可能に閉塞するテーブル天板と、前記テーブル天板を前記収納凹部から取り出した状態において、このテーブル天板に着脱可能に取り付けられるとともに、前記係止段部に係合させられる複数の脚と、前記係止段部の対向する部位間に着脱可能に装着され、前記テーブル天板の面を支持する複数の支持ロッドを備えていることを特徴とする収納式テーブル。
【請求項２】
前記係止段部が、前記開口部の縁部から下方へ所定距離間隔をおいた部位に形成されていることを特徴とする請求項１に記載の収納式テーブル。
【請求項３】
前記支持ロッドには、前記テーブル天板の面が当接させられる緩衝材が設けられていることを特徴とする請求項１に記載の収納式テーブル。
【請求項４】
前記テーブル天板の裏面には、このテーブル天板の面と略相似形をなすバックアッププレートが装着され、このバックアッププレートに形成された複数の切り欠きによって前記テーブル天板の裏面を露出する露出部が形成され、この露出部に前記脚が固定されるようになされていることを特徴とする請求項１に記載の収納式テーブル。
【請求項５】
前記テーブル天板の前記露出部に固定プレートが立設され、この固定プレートに前記脚が固定ボルトによって固定されていることを特徴とする請求項４に記載の収納式テーブル。
【発明の詳細な説明】
【技術分野】
【０００１】
本発明は、収納式テーブルに係わり、特に。通常時は床下に収納し、会食や宴会時に床上に持ち上げて設置するようにした収納式テーブルに関する。
【背景技術】
【０００２】
一般に、この種の収納型テーブルは、床下に収納凹部を形成しておき、通常時はテーブルを収納凹部内へ収納しておき、また、会食時や宴会時等においては、テーブルを収納凹部から引き出すとともに床から所定高さに固定して、配膳等に用いるようにしている。
【０００３】
このような収納式テーブルにより、通常時は床面の障害物を無くして床面を大きく利用することを可能にし、会食や宴会時においては料理の提供を容易にする効果が期待できる。
【０００４】
そして、このような収納式テーブルの具体的な構造が、たとえば、特許文献１において提案されている。
【０００５】
特許文献１に示された収納式テーブルは、床下にテーブルが収納される収納凹部を形成するとともに、この収納凹部内に、テーブルを上下動させるジャッキ機構を配置した構成としている。
【先行技術文献】
【特許文献】
【０００６】
【特許文献１】特開平１０−２５８７７号公報
【発明の概要】
【発明が解決しようとする課題】
【０００７】
特許文献１に記載された技術では、前述したようにテーブルの収納や引き出しにジャッキ機構を用いている。
【０００８】
このような構成では、次のような改善すべき問題点がある。
すなわち、床下に形成される収納凹部の容積として、テーブルを収納する容積に加えてジャッキ機構を設置するための容積が必要であることから、収納凹部の容積が大きくなる問題点である。
【０００９】
また、テーブルを引き上げた際に、その下部がジャッキ機構によって支持されているために、収納凹部の開口部がジャッキ機構によって閉塞されてしまう問題点である。
【００１０】
このように、収納凹部の開口部が塞がれると、使用者は、着座した状態において、足をテーブルの下に伸ばすか、あるいは、足を組んだ状態の着座姿勢を余儀なくされる。
【００１１】
さらに、ジャッキ機構を設けることによる構造の煩雑化やコストの高騰を招くといった問題点もある。
【００１２】
本発明は、このような従来において残されている問題点に鑑みてなされたもので、テーブルの収納凹部の容積を極力小さくし、テーブルを引き上げた際に、収納凹部の開口部を開放状態に保持して、使用者が着座した際に、足を開口部から収納凹部内に挿入可能にして楽な着座姿勢を確保することができ、かつ、これらをより簡便な構成によって実現することの可能な収納式テーブルを提供することを解決すべき課題とする。
【課題を解決するための手段】
【００１３】
本発明の収納式テーブルは、前述した課題を解決するために、上方に開放された開口部を有する収納凹部と、前記開口部の内周に形成された係止段部と、この係止段部に係止されて前記開口部を開閉可能に閉塞するテーブル天板と、前記テーブル天板を前記収納凹部から取り出した状態において、このテーブル天板に着脱可能に取り付けられるとともに、前記係止段部に係合させられる複数の脚とを備えていることを特徴とする。
【００１４】
このように構成された収納式テーブルは、まず、テーブル天板を収納凹部から取り出すことにより収納凹部の開口部を開放するとともに、係止段部を露出させる。
【００１５】
ついで、テーブル天板の裏面に複数の脚を取り付けてテーブルを組み上げた後に、このテーブルを、テーブル天板を脚が下方となるように姿勢を変更し、下方に位置させられた各脚を係止段部に係合させる。
【００１６】
このような手順により、収納凹部の開口部が開放され、かつ、テーブル天板が床面から所定距離離間した状態に保持されて、床上にテーブルが組み上げられる。
【００１７】
このようにテーブルが床上に組み上げられた状態において、収納凹部の開口部とテーブル天板の下面との間に空間が形成される。
【００１８】
この空間部により、収納凹部から開口部を経て床面上方に至る連続空間が形成され、開口部周縁の床面を座面とした堀構造が形成される。
【００１９】
これによって使用者は、開口部周縁の床面に座り、かつ、足を収納凹部内に垂らした姿勢、すなわち、椅子に座っているような楽な感覚で使用することができる。
【００２０】
一方、テーブルの収納は、前述した手順と逆の手順によって行なうことができる。
【００２１】
そして、テーブルの組み立てや収納の作業が、テーブル天板を引き出してその裏面に複数の脚を取り付けてテーブルを組み立て、このテーブルをひっくり返して脚を係止段部に係合させる手順と、これらの手順と逆の手順によって行なうことができる。
【００２２】
かつ、各手順は極めて簡素な手順であることから、テーブルの組み立てや収納の作業を容易に行なうことができる。
【００２３】
そして、テーブル天板から切り離された脚は、収納凹部内に収納しておくことができる。
【００２４】
前記係止段部は、前記開口部の縁部から下方へ所定距離間隔をおいた部位に形成されていることが好ましい。
【００２５】
このような構成とすることにより、前記距離をテーブル天板の厚みと略一致させると、テーブル天板を係止段部に係合させて収納した際に、テーブル天板の面と床面とを面一とすることができる。
【００２６】
これによって、テーブル天板を収納した状態において、床面に段差が生じることを防止し、歩行の安全を確保することができる。
【００２７】
また、床面を畳等の表面材によって覆う場合、開口部の縁部と係止段部との距離をテーブル天板の厚みに表面材の厚みを加えた長さとすることにより、テーブル天板を覆う表面材と、他の部位を覆う表面材とを面一として、テーブル天板を収納したことによる床面の違和感を緩和することができる。
【００２８】
前記係止段部の対向する部位間に、係合させられるテーブル天板の面を支持する複数の支持ロッドが着脱可能に装着された構成とすることができる。
【００２９】
このような構成とすることにより、テーブル天板を収納した状態において、このテーブル天板を複数箇所で支持することができ、歩行等によりテーブル天板に加重が作用した場合でも、テーブル天板の変形を抑制することができる。
【００３０】
この結果、テーブル天板が収納された位置における床面が沈むといった不具合を解消することができる。
【００３１】
前記支持ロッドには、テーブル天板の面が当接させられる緩衝材が設けられた構成とすることが好ましい。
【００３２】
このような構成とすることにより、テーブル天板に加重等が作用した際に、テーブル本体と支持ロッドとのずれを緩衝材によって吸収することにより、きしみ音の発生を防止することができるとともに、テーブル天板の損傷を防止することができる。
【００３３】
前記テーブルの裏面には、このテーブル天板の面と略相似形をなすバックアッププレートが装着され、このバックアッププレートに形成された複数の切り欠きによってテーブル天板の裏面を露出する露出部が形成され、この露出部に脚が固定される構成とすることができる。
【００３４】
このような構成とすることにより、脚の取り付け位置を明確にしてその装着作業を容易にすることができる。
【００３５】
そして、前記脚の固定は、露出部に固定プレートを立設しておき、この固定プレートを、脚と脚に螺着される固定ボルトによって挟持することによって行なうことができる。
【発明の効果】
【００３６】
本発明の収納式テーブルによれば、テーブルの収納凹部の容積を極力小さくし、テーブルを引き上げた際に、収納凹部の開口部を開放状態に保持して、使用者が着座した際に、足を開口部から収納凹部内に挿入可能にして楽な着座姿勢を確保することができ、かつ、これらをより簡便な構成によって実現することができる。
【図面の簡単な説明】
【００３７】
【図１】本発明の一実施形態が適用された部屋内部の斜視図である
【図２】本発明の一実施形態を示すもので、収納凹部の縦断面図である。
【図３】本発明の一実施形態を示すもので、収納凹部の開口部を覆う内装材を取り外した状態を示す斜視図である。
【図４】本発明の一実施形態を示すもので、図３の拡大平面図である。
【図５】本発明の一実施形態を示すもので、図４のＶ―Ｖ線断面図である。
【図６】本発明の一実施形態を示すもので、収納凹部の開口部を覆う内装材およびテーブルを取り外した状態を示す斜視図である。
【図７】本発明の一実施形態を示すもので、図６における収納凹部の縦断面図である。
【図８】本発明の一実施形態を示すもので、収納凹部の開口部を覆う内装材、テーブル、および、支持ロッドを取り外した状態を示す斜視図である。
【図９】本発明の一実施形態を示すもので、図８における収納凹部の縦断面図である。
【図１０】本発明の一実施形態を示すもので、テーブルを引き出し位置にセットした状態を示す斜視図である。
【図１１】本発明の一実施形態を示すもので、テーブルの裏面図である。
【図１２】本発明の一実施形態を示すもので、（ａ）は、図１１のＸＩＩ−ＸＩＩ線断面図、（ｂ）は、図１１の図１１のＸＩＩＩ−ＸＩＩＩ線断面図である。
【図１３】本発明の一実施形態を示すもので、脚の分解斜視図である。
【図１４】本発明の一実施形態を示すもので、脚を取り付けた状態のテーブルの裏面図である。
【図１５】本発明の一実施形態を示すもので、図１４のＸＶ−ＸＶ線断面図である。
【発明を実施するための形態】
【００３８】
以下、本発明の一実施形態について、図面を参照して説明する。
図１において、符号Ａは、本実施形態が適用された部屋を示し、この部屋Ａは、図２に示すように、床Ｂが畳からなる表面材Ｃによって覆われている。
【００３９】
また、床Ｂの、一つの表面材Ｃによって覆われる部位には、本実施形態の収納式テーブルＴを構成する収納凹部１が形成されており、この収納凹部１に、収納式テーブルＴの残余を構成するテーブル２が収納されている。
【００４０】
このテーブル２は、開口部１ａを開閉可能に閉塞するテーブル天板３と、前このテーブル天板３に着脱可能に取り付けられる複数の脚４によって構成されている。
【００４１】
テーブル天板３は、その表面を下方にして、図３ないし図５に示すように、開口部１ａを覆うようにして収納凹部１に収納される。
【００４２】
前記脚４は四角柱状に形成されており、図２に示すように、収納時にテーブル天板３から取り外されて収納凹部１内に収納される。
【００４３】
前記収納凹部１の内周で、開口部１ａの縁部から下方へ所定距離間隔をおいた部位には、全周にわたって係止段部１ｂが形成されており、この係止段部１ｂにテーブル天板３が係合させられることにより、このテーブル天板３が、図２ないし図５に示すように、開口部１ａを覆った状態で収納凹部１に収納されるようになっている。
【００４４】
前記係止段部１ｂの対向する部位間には、図２、および、図５ないし図９に示すように、対向する部位と上方の部位が開放された係止溝５が、係止段部１ｂの長さ方向に間隔をおいて多数形成されている。
【００４５】
そして、対向する各係止溝５間には、開口部１ａを横切るように多数の支持ロッド６が着脱可能に設けられている。
【００４６】
また、前記支持ロッド６のそれぞれの上面には緩衝材７が一体に装着されている。
【００４７】
これらの支持ロッド６および緩衝材７は、図５に示すように、テーブル天板３を、開口部１ａを覆うように係止段部１ｂに係合させて収納した際に、このテーブル天板３を複数箇所において支持して、その変形を防止するようになっているとともに、緩衝材７の作用により、テーブル天板３の損傷を防止するようになっている。
【００４８】
前記テーブル天板３の裏面には、図４、および、図５に示すように、このテーブル天板３の面と略相似形をなすバックアッププレート８が装着されている。
【００４９】
このバックアッププレート８は、テーブル天板３の反り等を防止するために設けられたもので、その四隅が斜めに切り欠かれ、また、平行な一対の側縁部が矩形状に切り欠かれ、これらの切り欠きによってテーブル天板３の裏面を露出する露出部９が形成されている。
【００５０】
また、バックアッププレート８の各側面に沿うように、補助プレート１０が装着され、これらの補助プレート１０の各端部が露出部９にまで延設され、後述するように、露出部９に立設される脚４の側面に当接させられるようになっている。
【００５１】
一方、図４に示すように、四隅の露出部９には、この露出部９へ延設された補助プレート１０の端部間に固定された固定プレート１１が、図１１および図１２に示すように、テーブル天板３の切り欠きと平行に設けられ、両側部の露出部９には、テーブル天板３の側縁と平行な固定プレート１１が設けられている。
【００５２】
前記脚４は、四角柱状に形成されており、テーブル天板３の四隅に取り付けられる４個の第１脚４ａと、テーブル天板３の側部に取り付けられる２個の第２脚４ｂとによって構成されている（図１３参照）。
【００５３】
前記第１脚４ａの一端部の角には、第１脚４ａの一端部に至る切り欠き１２が形成されているとともに、この切り欠き１２の一端部近傍には、固定ボルト１３が螺着されるネジ穴１４が設けられており、露出部９に装着した状態において、切り欠き１２の面が固定プレート１１に当接され、切り欠き１２を挟んだ両側の側面が、補助プレート１０の端面が当接させられるようになっている。
【００５４】
そして、固定プレート１１に挿通される固定ボルト１３が第１脚４ａのネジ穴１４に螺着されることにより、この固定ボルト１３と第１脚４ａとによって固定プレート１１が挟持されて、第１脚４ａがテーブル天板３に固定されるようになっている。
【００５５】
前記第２脚４ｂは、ネジ穴１４が形成された面が固定プレート１１に当接させられるようにして露出部９に配置され、このネジ穴１４に固定プレート１１に挿通される固定ボルト１３が螺着されることにより、この固定ボルト１３と第２脚４ｂとによって固定プレート１１が挟持されて、第２脚４ｂがテーブル天板３に固定されるようになっている。
【００５６】
ついで、このように構成された本実施形態の収納式テーブルＴの使用手順について説明する。
まず、図１および図２に示すような、部屋Ａの床が表面材Ｃによって覆われている非使用状態において、収納凹部１が設けられた部位に配置されている表面材Ｃを取り外して、図３ないし図５に示すように、テーブル天板３を露出させる。
【００５７】
ついで、露出されたテーブル天板３を引き出すことによって、図６および図７に示すように、開口部１ａを開放して支持ロッド６を露出させる。
【００５８】
これと同時に、取り外したテーブル天板３の裏面に、図１４および図１５に示すように、第１脚４ａおよび第２脚４ｂを、固定ボルト１３を用いて固定プレート１１に固定する。
【００５９】
このように固定された第１脚４ａは、その切り欠き１２の面が固定プレート１１へ圧接させられるとともに、切り欠き１２を挟む両側面が補助プレート１０の端面に当接させられて固定され、かつ、第２脚４ｂは、その一つの側面が固定プレート１１に圧接させられるとともに、この面を挟んだ両側面が補助プレート１０の端面に当接させられて固定される。
これによって、全ての脚４がテーブル天板３に強固に固定されたテーブル２を組み上げることができる。
【００６０】
ついで、図８および図９に示すように、露出された複数の支持ロッド６を取り外して、収納凹部１の開口部１ａを大きく開放する。
【００６１】
そして、テーブル２を各脚４が下方となるように姿勢調整した後に、これらの脚４を係止段部１ｂ上に載置することによって、図１０に示すように、テーブル２を収納凹部１の上方（すなわち床Ｂの上方）に組み上げることができる。
【００６２】
このようにテーブル２が床Ｂ上に組み上げられた状態において、収納凹部１の開口部１ａとテーブル天板３の下面との間に空間が形成される。
【００６３】
この空間部により、収納凹部１から開口部１ａを経て床Ｂの上方に至る連続空間が形成され、開口部１ａ周縁の床Ｂの面を座面とした堀構造が形成される。
【００６４】
これによって使用者は、開口部１ａ周縁の床面に座り、かつ、足を収納凹部１内に垂らした姿勢、すなわち、椅子に座っているような楽な姿勢で使用することができる。
【００６５】
一方、テーブル２の収納は、前述した手順と逆の手順によって行なうことができる。
【００６６】
そして、テーブル２の組み立てや収納の作業が、テーブル天板３を引き出してその裏面に複数の脚４を取り付けてテーブル２を組み立て、このテーブル２をひっくり返して脚４を係止段部１ｂに係合させる手順と、これらの手順と逆の手順によって行なうことができる。
【００６７】
このように、各手順が極めて簡素な手順であることから、テーブル２の組み立てや収納の作業を簡便かつ容易に行なうことができる。
【００６８】
そして、収納時にテーブル天板３から切り離された脚４は、収納凹部１内に収納しておくことができる。
【００６９】
また、収納時において、テーブル天板３はその周縁部が係止段部１ｂによって支持され、かつ、面が複数の支持ロッド６によって支持されていることから、テーブル天板３に表面材Ｃを介して外力がかかった場合でも撓みが生じることはない。
【００７０】
また、支持ロッド６とテーブル天板３との間に緩衝材７が介装されていることにより、支持ロッド６とテーブル天板３の相対移動によるテーブル天板３の損傷やきしみ音の発生を防止することができる。
【００７１】
なお、前記実施形態において示した各構成部材の諸形状や寸法等は一例であって、設計要求等に基づき種々変更可能である。
【００７２】
たとえば、前記実施形態においては、収納式テーブルＴを連続した複数の表面材Ｃに対応して一カ所に設けた例について示したが、これに代えて、離間した複数の表面材Ｃのそれぞれに対応して複数箇所に独立して設けることも可能である。
【符号の説明】
【００７３】
１  収納凹部
１ａ  開口部
１ｂ  係止段部
２  テーブル
３  テーブル天板
４  脚
４ａ  第１脚
４ｂ  第２脚
５  係止溝
６  支持ロッド
７  緩衝材
８  バックアッププレート
９  露出部
１０  補助プレート
１１  固定プレート
１２  切り欠き
１３  固定ボルト
１４  ネジ穴
Ａ  部屋
Ｂ  床
Ｃ  表面材
Ｔ  収納式テーブル
【要約】
【課題】テーブルの収納凹部の容積を極力小さくし、テーブルを引き上げた際に、収納凹部の開口部を開放状態に保持して、使用者が着座した際に、足を開口部から収納凹部内に挿入可能にして楽な着座姿勢を確保することができ、かつ、これらをより簡便な構成によって実現することの可能な収納式テーブルを提供することを課題とする。
【解決手段】上方に開放された開口部１ａを有する収納凹部１と、この収納凹部の内周に形成された係止段部１ｂと、この係止段部に係止されて開口部を開閉可能に閉塞するテーブル天板３と、テーブル天板を収納凹部から取り出した状態において、このテーブル天板に着脱可能に取り付けられるとともに、係止段部に係合させられる複数の脚４とを備えていることを特徴とする。
【選択図】図２【図１】
0006934122.tif 000002
【図２】
0006934122.tif 000003
【図３】
0006934122.tif 000004
【図４】
0006934122.tif 000005
【図５】
0006934122.tif 000006
【図６】
0006934122.tif 000007
【図７】
0006934122.tif 000008
【図８】
0006934122.tif 000009
【図９】
0006934122.tif 000010
【図１０】
0006934122.tif 000011
【図１１】
0006934122.tif 000012
【図１２】
0006934122.tif 000013
【図１３】
0006934122.tif 000014
【図１４】
0006934122.tif 000015
【図１５】
0006934122.tif 000016